(57)【要約】【課題】予定されているコンテンツの表示スケジュールに空きがあっても、適切にコンテンツが表示されるコンテンツ表示装置等を提供する。【解決手段】コンテンツ管理サーバから受信したコンテンツを、コンテンツ表示スケジュールに基づいて表示するコンテンツ表示装置において、一又は複数のコンテンツをコンテンツグループとして記憶し、コンテンツ表示スケジュールに空き時間があるかを判定された場合には、前記コンテンツグループに含まれているコンテンツを、前記空き時間に割り当てる。【選択図】図１２
2018073197.tif 000002
【特許請求の範囲】
【請求項１】
コンテンツ管理サーバから受信したコンテンツを、コンテンツ表示スケジュールに基づいて表示するコンテンツ表示装置において、
一又は複数のコンテンツをコンテンツグループとして記憶するコンテンツグループ記憶手段と、
前記コンテンツ表示スケジュールに空き時間があるかを判定する空き時間判定手段と、
前記空き時間判定手段により、空き時間があると判定された場合には、前記コンテンツグループに含まれているコンテンツを、前記空き時間に割り当てる割り当て手段と、
を備えることを特徴とするコンテンツ表示装置。
【請求項２】
前記コンテンツグループは、表示スケジュールの空き時間への割り当て候補となるコンテンツから構成されるとともに、複数の再生時間の動画コンテンツ及び／又は静止画コンテンツを含んでおり、
前記割り当て手段は、前記空き時間に応じて、前記コンテンツグループの中からコンテンツを選択して割り当てることを特徴とする請求項１に記載のコンテンツ表示装置。
【請求項３】
前記割り当て手段は、前記空き時間に応じて、前記動画コンテンツを優先的に割り当て、更に空き時間がある場合には静止画コンテンツを割り当てることを特徴とする請求項２に記載のコンテンツ表示装置。
【請求項４】
前記コンテンツグループ記憶手段は、記憶されているコンテンツの表示回数を更に記憶しており、
前記割り当て手段は、前記コンテンツグループに含まれるコンテンツの表示回数が少ないものから空き時間に割り当てることを特徴とする請求項１から３の何れか一項に記載のコンテンツ表示装置。
【請求項５】
前記コンテンツ管理サーバから受信されたコンテンツ表示スケジュールに基づいて表示されるコンテンツに延長フラグが含まれているかを判定する延長フラグ判定手段を更に備え、
前記割り当て手段は、前記空き時間判定手段により、空き時間があると判定され、かつ、空き時間の直前に割り当てられているコンテンツに延長フラグが含まれている場合には、当該直前に割り当てられているコンテンツの終了時刻を、当該空き時間に延長することを特徴とする請求項１から４の何れか一項に記載のコンテンツ表示装置。
【請求項６】
コンテンツ管理サーバから受信したコンテンツを、コンテンツ表示スケジュールに基づいて表示するコンテンツ表示装置におけるコンテンツ割り当て方法であって、
一又は複数のコンテンツをコンテンツグループとして記憶するコンテンツグループ記憶ステップと、
前記コンテンツ表示スケジュールに空き時間があるかを判定する空き時間判定ステップと、
前記空き時間判定ステップにより、空き時間があると判定された場合には、前記コンテンツグループに含まれているコンテンツを、前記空き時間に割り当てる割り当てステップと、
を含むことを特徴とするコンテンツ割り当て方法。
【請求項７】
コンテンツ管理サーバから受信したコンテンツを、コンテンツ表示スケジュールに基づいて表示するコンピュータに、
一又は複数のコンテンツをコンテンツグループとして記憶するコンテンツグループ記憶機能と、
前記コンテンツ表示スケジュールに空き時間があるかを判定する空き時間判定機能と、
前記空き時間判定機能により、空き時間があると判定された場合には、前記コンテンツグループに含まれているコンテンツを、前記空き時間に割り当てる割り当て機能と、
を実行させるプログラム。
【請求項８】
コンテンツ管理サーバと、表示装置とを含むコンテンツ表示システムにおいて、
前記コンテンツ管理サーバは、
一又は複数のコンテンツをコンテンツグループとして前記表示装置に送信するコンテンツグループ送信手段と、
配信コンテンツと、当該配信コンテンツの表示スケジュールとを前記表示装置に配信する配信手段と、
を備え、
前記表示装置は、
前記コンテンツ管理サーバから受信したコンテンツグループを記憶する記憶手段と、
前記コンテンツ管理サーバが配信したコンテンツを、コンテンツ表示スケジュールに基づいて表示する表示手段と、
を備え、
前記コンテンツ表示スケジュールに空き時間があるかを判定する空き時間判定手段と、
前記空き時間判定手段により、空き時間があると判定された場合には、前記コンテンツグループに含まれているコンテンツを、前記空き時間に割り当てる割り当て手段と、
を備えることを特徴とするコンテンツ表示システム。
【発明の詳細な説明】
【技術分野】
【０００１】
本発明は、デジタルサイネージシステムなどに使用されるコンテンツ表示装置等に関する。
【背景技術】
【０００２】
近年、駅の構内や、ショッピングセンターといった人の多いところに、表示装置を配置し、そこに広告等のコンテンツを表示するいわゆるデジタルサイネージが普及している。
【０００３】
デジタルサイネージにおけるビジネス形態は、一般的には、鉄道事業者、ショッピングモールの運営者といったロケーションオーナー（管理者）が、デジタルサイネージシステムを設置し、デジタルサイネージの利用者である広告主に広告枠（決められた時間帯の時間枠）を販売するものである。そして、当該広告枠には、広告コンテンツ等が表示されるものである。
【０００４】
ここで、コンテンツを配信するには、広告順序スケジュールや配信スケジュールを作成する必要がある。そこで、これらのスケジュールを作成する方法は、従来の広告システムではいくつか提案されている。例えば、特許文献１には、広告に共通の複数の属性を用意し、広告ごとに数値化し付加し、広告ＤＢ１０５に蓄積する。予め配信すべき時間帯が指定されていない広告に対してはそれぞれの属性ごとに重み付けを行い、配信側、視聴者側からの配信条件を反映した配信頻度、配信順序を決定し、広告順序スケジュールを作成する。予め配信時間帯、配信頻度が指定されている広告に対してはスケジュール化を行い、配信タイムスケジュールを作成する。上記２つのスケジュールを配信スケジュールとしてまとめ、それに基づき時刻を見ながら配信側から視聴者に広告を配信し、視聴者側の表示部に表示するといった発明が開示されている。
【先行技術文献】
【特許文献】
【０００５】
【特許文献１】特開２００１−２３６４４４号公報
【発明の概要】
【発明が解決しようとする課題】
【０００６】
ここで、デジタルサイネージシステムは、各表示装置において、表示されるコンテンツをデジタルサイネージシステム管理者（以下、管理者）が登録する必要があった。具体的には、コンテンツを表示するスケジュールを、管理者が指定し、各表示装置にスケジュールと対応するコンテンツをセットで配信することにより、各表示装置はスケジュールに沿ってコンテンツを表示することとなる。
【０００７】
したがって、これらのコンテンツ表示スケジュールを作成する場合、管理者の作業が多くなってしまうという問題が生じていた。
【０００８】
とくに、広告コンテンツが埋まらない場合、すなわち、コンテンツ表示スケジュールが未確定であるために、設置ロケーションの表示装置に何も表示されない状態（例えば、画面が真っ黒に消えてしまったり、ブルーバックになってしまったりしているような状態）となることは、ロケーションでの美観に問題が生じてしまう。
【０００９】
これを防ぐためには、広告コンテンツが埋まらないときように、例えば公共広告や、環境映像、広告募集中と言った未確定のタイムスケジュールの時間枠、すなわち空き時間枠については空き時間枠用のコンテンツを用意し、その都度割り当てる必要があった。そのため、管理者への負担が大きく、ヒューマンエラーを拡大させてしまう要因となっていた。
【００１０】
また、負担が大きいにもかかわらず、広告コンテンツが埋まらないときの作業であるため、利益が生み出される訳ではなく、これらの作業はコストアップに繋がってしまっていた。
【００１１】
上記事情に鑑み、本発明は、予定されているコンテンツの表示スケジュールに空きがあっても、適切にコンテンツが表示されるコンテンツ表示装置等を提供することを目的としている。
【課題を解決するための手段】
【００１２】
上述した課題を解決するために、本発明のコンテンツ表示装置は、
コンテンツ管理サーバから受信したコンテンツを、コンテンツ表示スケジュールに基づいて表示するコンテンツ表示装置において、
一又は複数のコンテンツをコンテンツグループとして記憶するコンテンツグループ記憶手段と、
前記コンテンツ表示スケジュールに空き時間があるかを判定する空き時間判定手段と、
前記空き時間判定手段により、空き時間があると判定された場合には、前記コンテンツグループに含まれているコンテンツを、前記空き時間に割り当てる割り当て手段と、
を備えることを特徴とする。
【００１３】
本発明のコンテンツ割り当て方法は、
コンテンツ管理サーバから受信したコンテンツを、コンテンツ表示スケジュールに基づいて表示するコンテンツ表示装置におけるコンテンツ割り当て方法であって、
一又は複数のコンテンツをコンテンツグループとして記憶するコンテンツグループ記憶ステップと、
前記コンテンツ表示スケジュールに空き時間があるかを判定する空き時間判定ステップと、
前記空き時間判定ステップにより、空き時間があると判定された場合には、前記コンテンツグループに含まれているコンテンツを、前記空き時間に割り当てる割り当てステップと、
を含むことを特徴とする。
【００１４】
本発明のプログラムは、
コンテンツ管理サーバから受信したコンテンツを、コンテンツ表示スケジュールに基づいて表示するコンピュータに、
一又は複数のコンテンツをコンテンツグループとして記憶するコンテンツグループ記憶機能と、
前記コンテンツ表示スケジュールに空き時間があるかを判定する空き時間判定機能と、
前記空き時間判定機能により、空き時間があると判定された場合には、前記コンテンツグループに含まれているコンテンツを、前記空き時間に割り当てる割り当て機能と、
を実行させることを特徴とする。
【００１５】
本発明のコンテンツ表示システムは、
コンテンツ管理サーバと、表示装置とを含むコンテンツ表示システムにおいて、
前記コンテンツ管理サーバは、
一又は複数のコンテンツをコンテンツグループとして前記表示装置に送信するコンテンツグループ送信手段と、
配信コンテンツと、当該配信コンテンツの表示スケジュールとを前記表示装置に配信する配信手段と、
を備え、
前記表示装置は、
前記コンテンツ管理サーバから受信したコンテンツグループを記憶する記憶手段と、
前記コンテンツ管理サーバが配信したコンテンツを、コンテンツ表示スケジュールに基づいて表示する表示手段と、
を備え、
前記コンテンツ表示スケジュールに空き時間があるかを判定する空き時間判定手段と、
前記空き時間判定手段により、空き時間があると判定された場合には、前記コンテンツグループに含まれているコンテンツを、前記空き時間に割り当てる割り当て手段と、
を備えることを特徴とする。
【発明の効果】
【００１６】
本発明によれば、コンテンツ管理サーバから受信したコンテンツを、コンテンツ表示スケジュールに基づいて表示するコンテンツ表示装置において、一又は複数のコンテンツをコンテンツグループとして記憶し、コンテンツ表示スケジュールに空き時間があるかを判定された場合には、前記コンテンツグループに含まれているコンテンツを、前記空き時間に割り当てることとなる。したがって、コンテンツスケジュールが空いている場合、本来であればコンテンツは表示されないが、コンテンツグループに含まれるコンテンツを代わりに表示することにより、コンテンツが表示されないといったことを防ぎ、稼働中は常にコンテンツを表示させることが可能となる。
【図面の簡単な説明】
【００１７】
【図１】第１実施形態におけるデジタルサイネージシステムの概要を説明するための図である。
【図２】第１実施形態における（ａ）管理サーバの機能構成、（ｂ）空き時間枠コンテンツを説明するための図である。
【図３】第１実施形態における（ａ）表示装置の機能構成、（ｂ）空き時間枠コンテンツを説明するための図である。
【図４】第１実施形態におけるサイネージ管理処理を説明するための動作フローである。
【図５】第１実施形態におけるサイネージ管理処理を説明するための動作フローである。
【図６】第１実施形態における動作例（カレンダースケジュール）を説明するための図である。
【図７】第１実施形態における動作例（タイムスケジュール）を説明するための図である。
【図８】第１実施形態における動作例（タイムスケジュール）を説明するための図である。
【図９】第１実施形態における動作例を説明するための図である。
【図１０】第１実施形態におけるコンテンツ配信処理を説明するための動作フローである。
【図１１】第１実施形態におけるコンテンツ表示処理を説明するための動作フローである。
【図１２】第１実施形態における空き時間枠コンテンツ割り当て処理の動作を説明するための図である。
【図１３】第２実施形態における空き時間枠コンテンツを説明するための図である。
【図１４】第４実施形態におけるコンテンツ表示処理を説明するための動作フローである。
【図１５】第４実施形態における動作例を説明するための図である。
【発明を実施するための形態】
【００１８】
以下、本発明の実施の形態について、図面を参照して説明する。なお、本実施形態では、一例として、本発明におけるコンテンツ表示装置を含むデジタルサイネージシステムについて説明する。
【００１９】
［１．第１実施形態］
［１．１  全体構成］
まず、本実施形態のデジタルサイネージシステム１の全体構成について、図１に基づいて説明する。図１に示すように、デジタルサイネージシステム１には、管理サーバ１０に、表示装置２０が接続されている。表示装置２０は、図１に示すように複数接続されても良い。また、図１においては、表示装置２０は、管理サーバ１０と同一ネットワークで接続されていることとして表示されているが、ネットワークで接続されていればよい。
【００２０】
管理サーバ１０は、外部ネットワークＮＷに接続されており、外部ネットワークＮＷを介して端末装置３０が接続されている。端末装置３０は、一又は複数台接続可能であり、例えば広告主などコンテンツを配信したい人が利用する。
【００２１】
端末装置３０としては、例えばコンピュータのような機器であっても良いし、例えばスマートフォンやタブレットといった情報処理装置であっても良い。また、コンテンツ配信用の専用装置であっても良いし、通信機能を備えた画像形成装置であっても良い。すなわち、管理サーバ１０に接続して、コンテンツの配信を指定したり、アップロード出来たりすることが出来る端末装置であればよい。
【００２２】
ここで、本実施形態におけるデジタルサイネージシステム１の基本的な流れとしては以下の通りである。
【００２３】
［Ａ］事前準備
（Ａ１）下記に活用する、売れ残り広告枠に自動挿入されるコンテンツを自動的に配信する。動画は１〜ｎまでの複数本、静止画も1〜ｍである。このコンテンツは公共広告ＣＭや、自身のサイネージ広告募集、環境映像などで構成される。
【００２４】
（Ａ２）公共広告や広告募集中のコンテンツは通常の広告と同タイミングで配信することも可能であるが、広告枠販売機能や入稿システム付きの本サイネージにおいては、締切ぎりぎりまで広告枠を販売する可能性があるため、配信によるネットワークの輻輳を避けるべくあらかじめの配信をしておくものである。
【００２５】
［Ｂ］デジタルサイネージの運営
（Ｂ１）広告主（端末装置３０の操作者であるコンテンツ提供者）と、ロケーションオーナー（管理サーバ１０の管理者）とで広告に関する基本契約を締結する。
【００２６】
回収方法、与信管理のみでデジタルサイネージに関する基本情報（表示時間帯、表示回数、表示時間、金額など）は取り交わしする必要はない。
【００２７】
（Ｂ２）広告主が、ロケーションオーナーの提供する管理サーバ１０に接続して（ＩＤ・パスワードなどセキュアな状態として）操作を行う。
【００２８】
広告主が、ロケーションオーナーのサイネージシステムに表示している空き枠と金額と前後の時間帯（および同時刻にながれる近傍の表示システム）の商品カテゴリを確認する。
【００２９】
（Ｂ３）広告主が購入の意思を持ったときに、コンテンツ（例えば、本実施形態では広告コンテンツ）を、デジタルサイネージソフト（管理サーバ１０において実行されるサイネージ管理プログラム）を通じて広告コンテンツのカテゴリ名を選択する。
【００３０】
（Ｂ４）この際に、デジタルサイネージソフトは前後の時間帯（および同時刻にながれる近傍の表示システム）に同一のカテゴリがあれば排他処理を行なう。排他されうる場合には入稿を許可しない。
【００３１】
（Ｂ５）広告主は、ロケーションオーナーサーバーに広告コンテンツ入稿する。
【００３２】
（Ｂ６）（Ｂ３）〜（Ｂ５）の処理にてカレンダースケジュール・日々のタイムスケジュールが自動的に形成される。また、基本情報（表示時間帯、表示回数、表示時間、金額など）はこのＵＩで決めることができるので、あらかじめ（Ｂ１）の時点で契約する必要はない。
【００３３】
（Ｂ７）管理サーバ１０から、「カレンダースケジュール＋タイムスケジュール＋広告コンテンツ」を、実際のロケーションのシステム（表示装置２０等で構成される。）にネットワーク配信やＵＳＢメモリによる配信を実施する。表示システムは各スケジュールをもとに広告コンテンツを表示する。
【００３４】
なお、管理サーバ１０から表示装置２０への配信のタイミングは、当日のスケジュールのものでなければ、比較的ネットワークがすいている、夜間（サイネージが稼働していない時間）にまとめて配信することもできるし、当日のスケジュールであれば即時に配信対応することもできる。
【００３５】
（Ｂ８）「売れ残り広告枠」については、スケジュールへのＣＭコンテンツ割り当てがないため、かわりに、（Ａ）であらかじめ送信していたコンテンツの中から自動的に選択し、空き広告枠の時間にあうように自動的にあてはめていき、例えば、公共広告や、広告募集中、環境映像を流すものである。
【００３６】
ここで、空き枠がたとえば１０分間であり、あらかじめ配信されたものが、公共広告（動画）４分、広告募集中（動画）４分の２種類コンテンツ動画であった場合、４分＋４分間＝８分の組み合わせしかできない。
【００３７】
その場合、４分間の動画を追加した場合、空であった本広告枠が１０分で打ち切られるため、２分間の尻切れトンボの放映となってしまい、ロケーションでの表現力に課題を残してしまう。また、８分間の動画を無理やり10分間に引き延ばしての放映も違和感があり現実的でない。
【００３８】
そのため、時間調整用に静止画コンテンツを準備しておき時間調整を行うことで、枠放映終了時の尻切れトンボを回避することができる。
【００３９】
あらかじめ送信しておく動画は１〜ｎまでの複数本、静止画も1〜ｍまでの複数本とし、それぞれが、自動挿入される回数は、平均的になるように循環して採用していくものである。
【００４０】
また、動画は再生時間が異なる（３分、２分、８分とばらばら）ため理想的には、再生回数を統一できないものの極力平均的になるように、採用回数が少ないものから採用を優先する。
【００４１】
また、あらかじめ配信の中に動画が無ければ、静止画のみで対応することも可能である。また、静止画が配信されない場合、デジタルサイネージソフト（クライアント）の中に、あらかじめ準備されている環境映像（風景など）の静止画が自動的に挿入することも可能である。
【００４２】
［１．２  機能構成］
つづいて、管理サーバ１０及び表示装置２０の機能構成について説明する。なお、端末装置３０は、上述したように通信機能を有するコンピュータのような情報処理機器であれば良いため、機能構成に説明を省略する。
【００４３】
［１．２．１  管理サーバ］
管理サーバ１０の機能構成について、図２（ａ）に基づいて説明する。管理サーバ１０は、制御部１１０と、通信部１２０と、記憶部１４０とを備えて構成されている。
【００４４】
制御部１１０は、管理サーバ１０の全体を制御するための機能部である。制御部１１０は、記憶部１４０に記憶されている各種プログラムを読み出して実行することにより各種機能を実現しており、例えばＣＰＵ（Central Processing Unit）等により構成されている。
【００４５】
通信部１２０は、他の装置と通信を行うための機能部である。例えば、有線ＬＡＮにより通信可能な機能部であったり、無線ＬＡＮにより通信可能な機能部であったりする。通信方式としては、Ｅｔｈｅｒｎｅｔ（登録商標）やＩＥＥＥ８０２．１１ａ／ｂ／ｇ／ｎであっても良いし、ＬＴＥ（登録商標）通信網やＷｉＭＡＸ（登録商標）のような通信網であっても良い。
【００４６】
記憶部１４０は、管理サーバ１０の動作に必要な各種プログラムや、各種データが記憶されている機能部である。記憶部１４０は、例えば、半導体メモリや、ＨＤＤ（Hard Disk Drive）等により構成されている。
【００４７】
ここで、記憶部１４０には、コンテンツデータを格納するコンテンツデータ格納領域１４２と、予約（入稿）されたコンテンツが無く、空き時間となっている場合に利用される空き時間枠コンテンツデータを格納する空き時間枠コンテンツデータ格納領域１４４とが確保されている。また、コンテンツ表示スケジュール１４６と、サイネージ管理プログラム１５２と、コンテンツ配信プログラム１５４とが記憶されている。
【００４８】
コンテンツデータ格納領域１４２は、例えば端末装置３０から入稿された（アップロードされた）コンテンツデータが格納される。コンテンツの種類としては、本実施形態では広告コンテンツを例に説明するが、他のコンテンツ（例えば、紹介用コンテンツ、番組コンテンツ）であっても良い。また、コンテンツの種類も、動画であっても良いし、静止画であっても良い。
【００４９】
空き時間枠コンテンツデータ格納領域１４４に記憶される空き時間枠コンテンツデータの一例について、図２（ｂ）を参照して説明する。
【００５０】
図２（ｂ）に示すように、空き時間枠コンテンツデータ格納領域１４４は、空き時間枠コンテンツデータ（例えば、「公共ＣＭ動画１」）と、種類（例えば、「動画」）と、時間（例えば、「８分」）とを対応づけて記憶している。そして、空き時間枠コンテンツデータを、１つのコンテンツグループとして管理しており、このコンテンツグループは複数記憶されていてもよい。
【００５１】
そして、管理サーバ１０は、空き時間枠コンテンツデータを含むコンテンツグループを、表示装置２０に送信する。
【００５２】
ここで、空き時間枠とは、コンテンツ表示スケジュールにおいて、売れ残っている時間帯であり、表示装置２０で表示するコンテンツが決まっていない、すなわち未確定の状態の時間枠である。広告データ等のコンテンツが埋まっている枠は、すでに表示するコンテンツが確定している。しかし、それ以外の時間枠については、表示するコンテンツが管理サーバ１０においては確定しておらず、未確定の時間枠として、そのまま表示装置２０に配信される。
【００５３】
また、空き時間枠コンテンツデータは、動画又は静止画が記憶されている。動画は、例えば、Audio Video Interleave(ａｖｉファイル)、Windows Media Video（ｗｍｖファイル）、ＭＰＥＧ（ｍｐｇファイル）等の何れの動画フォーマットであっても良い。また、静止画は、ＪＰＥＧ(ｊｐｇファイル）、Portable Network Graphics（ｐｎｇファイル）、Graphics Interchange Format（ｇｉｆファイル）等の何れの画像フォーマットであっても良い。また、静止画と組み合わせて音声データが記憶されても良い。
【００５４】
また、これらのコンテンツデータの種類を種類として記憶しているが、コンテンツデータの属性から取得しても良い。時間は、コンテンツデータの再生時間が記憶されている。再生時間についても、コンテンツデータの属性から取得しても良い。
【００５５】
コンテンツ表示スケジュール１４６は、コンテンツを表示装置２０で表示するスケジュールであるコンテンツ表示スケジュールが記憶されている。例えば、管理サーバ１０から、表示装置２０に配信するコンテンツを、どの装置に、どの時間表示するかといったことが記憶される。コンテンツ表示スケジュール１４６が表示装置２０に送信されることにより、各表示装置２０はスケジュールに従ってコンテンツを表示することが可能となる。
【００５６】
ここで、コンテンツ表示スケジュールとは、実際のサイネージが表示される時間帯である年月日及び開始時間、終了時間と、当該時間帯に割り当てられたコンテンツ名等のコンテンツに関する情報をテーブル化（ＤＢ）したものである。
【００５７】
サイネージ管理プログラム１５２は、制御部１１０が読み出して実行することによりサイネージ管理機能が実現される。また、コンテンツ配信プログラム１５４は、制御部１１０が読み出して実行することにより、コンテンツ配信機能が実現される。
【００５８】
［１．２．２  表示装置］
表示装置２０の機能構成について、図３（ａ）に基づいて説明する。表示装置２０は、デジタルサイネージとして設置ロケーションで実際の表示を行うシステム一式であり、制御部２１０と、通信部２２０と、表示部２３０と、記憶部２４０とを備えて構成されている。
【００５９】
制御部２１０は、表示装置２０の全体を制御するための機能部である。制御部２１０は、記憶部２４０に記憶されている各種プログラムを読み出して実行することにより各種機能を実現しており、例えばＣＰＵ（Central Processing Unit）等により構成されている。
【００６０】
通信部２２０は、主に管理サーバ１０と通信を行うための機能部である。例えば、有線ＬＡＮにより通信可能な機能部であったり、無線ＬＡＮにより通信可能な機能部であったりする。通信方式としては、ＥｔｈｅｒｎｅｔやＩＥＥＥ８０２．１１ａ／ｂ／ｇ／ｎであっても良いし、ＬＴＥ通信網やＷｉＭＡＸのような通信網であっても良い。
【００６１】
表示部２３０は、コンテンツを表示するための機能部である。例えば、ＬＣＤや、有機ＥＬディスプレイ、プロジェクタ等により構成されている。
【００６２】
記憶部２４０は、表示装置２０の動作に必要な各種プログラムや、各種データが記憶されている機能部である。記憶部２４０は、例えば、半導体メモリや、ＨＤＤ（Hard Disk Drive）等により構成されている。
【００６３】
記憶部２４０には、配信されたコンテンツデータを記憶するコンテンツデータ格納領域２４２と、空き時間枠コンテンツを有するコンテンツグループを記憶する空き時間枠コンテンツデータ格納領域２４４の領域が確保され、コンテンツ表示スケジュール２４６と、コンテンツ表示プログラム２５２とが記憶されている。
【００６４】
コンテンツデータ格納領域２４２、空き時間枠コンテンツデータ格納領域２４４は、管理サーバ１０が配信するコンテンツデータ、空き時間枠コンテンツデータを受信して記憶しておく領域である。上述したコンテンツデータ等は、その都度配信されても良いし、まとめて配信されていても良い。また、例えばスクリーンセーバ等のように、表示装置２０側で用意しても良い。
【００６５】
ここで、空き時間枠コンテンツデータ格納領域２４４に記憶される空き時間枠コンテンツデータの一例を、図３（ｂ）に示す。図３（ｂ）に示すように、基本的に図２（ｂ）に示した空き時間枠コンテンツデータと同じであるが、再生回数がそれぞれ記憶されている。表示装置２０で表示する空き時間枠コンテンツデータを有するコンテンツグループが記憶されることとなる。
【００６６】
再生回数は、空き時間枠コンテンツデータが再生・表示された回数を示している。１回表示されることで、再生回数がインクリメントされる。
【００６７】
なお、再生回数については、管理サーバ１０に送信することにより、管理サーバ側でも管理してもよい。例えば、１日の処理が終わった後に送信することとしても良いし、再生する都度管理サーバ１０に再生したことを通知しても良い。
【００６８】
コンテンツ表示スケジュール２４６は、管理サーバ１０から受信したコンテンツ表示スケジュールを記憶しておく。表示装置２０は、コンテンツ表示スケジュール２４６に従ってコンテンツデータを表示することとなる。
【００６９】
コンテンツ表示プログラム２５２は、制御部２１０が読み出して実行することにより、コンテンツ表示機能が実現される。
【００７０】
端末装置３０としては、上述のようにシステムとして一体となったものでもよいし、例えばコンピュータ＋ディスプレイであっても良いし、例えばスマートフォンやタブレットといった情報処理装置であって実現することが可能である。
【００７１】
［１．３  処理の流れ］
つづいて、本実施形態における処理の流れについて説明する。
【００７２】
［１．３．１  サイネージ管理処理］
図４及び図５は、サイネージ管理処理について説明するフローチャートである。サイネージ管理処理は、制御部１１０が、サイネージ管理プログラム１５２を読み出して実行することにより実現する処理である。
【００７３】
まず、ロケーションオーナーである管理者の操作が行われると（ステップＳ１０２）、その操作が終了操作であったか否かを判定する（ステップＳ１０４）。終了操作としては、電源ＯＦＦの操作であったり、プログラムを終了する操作であったりする。このような操作があった場合には、本処理を終了する（ステップＳ１０４；Ｙｅｓ）。
【００７４】
ここで、空き時間枠コンテンツを予め表示装置２０に配信する場合には、空き時間枠コンテンツ配信処理を実行する（ステップＳ１０６；Ｙｅｓ→ステップＳ１０８）。例えば、表示装置２０に空き時間枠コンテンツデータを配信していない場合や、新しい空き時間枠コンテンツデータがある場合には、配信を行う。
【００７５】
空き時間枠コンテンツデータは１つであっても良いし、複数であっても良い。この空き時間枠コンテンツデータは、コンテンツグループとして記憶され、表示装置２０で利用されることとなる。
【００７６】
管理者操作として設定操作があった場合には、設定処理が実行される（ステップＳ１１０；Ｙｅｓ→ステップＳ１１２）。設定処理としては、例えば表示装置２０の設定（設置されているロケーションの設定、表示装置２０のＩＰアドレス等）、ユーザ情報の設定、課金情報に関する設定といった種々の情報が設定可能である。
【００７７】
続いて、コンテンツ配信処理が実行される（ステップＳ１１４）。コンテンツ配信処理が実行されることにより、表示装置２０にコンテンツデータ及びコンテンツ表示スケジュールが配信される。コンテンツ配信処理の動作については後述する。
【００７８】
ここで、本デジタルサイネージシステム１の事前契約者はログインすることで、コンテンツを登録、配信する設定を行うことができる。以下、ログイン画面以降をステップＳ１１６から説明する。
【００７９】
ログイン画面を表示する（ステップＳ１１６）。ログイン画面の表示は、例えば管理サーバ１０におけるアドレス（例えばログイン用のＵＲＬ）が指定されてもよいし、ログイン操作をすることにより表示されても良い。何れかの方法によって、ログイン画面に遷移し、端末装置３０上においてログイン画面が表示される。
【００８０】
ここで、利用者（広告主）によりログイン操作が行われる（ステップＳ１１８）。具体的にはＩＤ及びパスワードが入力され、登録されたものと一致することにより、認証がＯＫと判定される（ステップＳ１２０；Ｙｅｓ）。ここでログイン方法としては種々の方法が考えられる。例えば、上述したベーシック認証以外にも、ＯＡｕｔｈ認証、証明書認証、生体認証等のいずれの方法を利用しても良い。ここで、認証を失敗した場合や、タイムアウトした場合には、最初から処理を繰り返し実行する。
【００８１】
続いて、管理サーバ１０は、利用者（広告主）に、販売する表示装置２０の場所（サイネージロケーション）を表示して（ステップＳ１２２）、選択させる（ステップＳ１２４）。利用者は、コンテンツを表示する時間枠（広告枠）を購入できる表示装置２０の場所を確認することができる。具体的には、「ＡＢＣ広場  入口柱（中央）」「ショッピングモール正面玄関」といった場所が表示されることにより、利用者は選択することが可能となる。
【００８２】
そして、利用者により、表示装置の場所（サイネージのロケーション）が選択されると（ステップＳ１２６；Ｙｅｓ）、対応する場所に配置されている表示装置２０のカレンダースケジュールを表示する（ステップＳ１２８）。カレンダースケジュールは、管理サーバ１０が管理しているコンテンツデータのコンテンツ表示スケジュールから、コンテンツの予約が可能か否かを、カレンダー形式で表示するために利用される。本実施形態では、コンテンツ表示スケジュールに基づいて生成することができることして説明するが、カレンダースケジュールとして別に記憶しても良い。
【００８３】
ここで、カレンダースケジュールとは、コンテンツ表示スケジュールから生成可能なデータであり、ＵＩとして使用する場合には、１か月のカレンダーイメージで表示され、販売枠の空き・販売済を示すものである。
【００８４】
また、表示される画面の一例を図６に基づいて説明する。図６は利用者から見えるカレンダースケジュールの画面例を示す図である。ここで、１〜５日は終了した日付であり、購入できない状態となっている。
【００８５】
１０〜１２日、２８日〜３１日は空きがある状態であるため、選択されるとタイムスケジュールの画面に遷移する。なお、近傍に他の表示装置がなく独立している場合には、前後時間の排他確認用のタイムスケジュールに遷移する。また、近傍に他の表示装置がある場合には、近傍の排他確認を含む排他確認用のタイムスケジュールに遷移する。また、６〜９日、１３日〜２７日には空きが無い状態となっている。
【００８６】
ここで、タイムスケジュールとは、コンテンツ表示スケジュールから生成可能なデータであり、ＵＩとして使用する場合には、１日間のイメージで表示され、コンテンツがどの時間枠で表示されるか、販売枠の空きなどを示すものである。
【００８７】
また、本実施形態においては、所定の範囲の表示装置を広告グループとして設定可能である。広告グループとは、コンテンツを視聴したり、コンテンツの広告を確認する需要者の同一視野に入る表示装置であったり、同一構内にある表示装置であったり、並んで配置される表示装置であったりする。これは、例えば、需要者の同一視野に入る表示装置であるにも関わらず、ライバル企業の広告が表示されてしまうというのを防ぐために、管理者が設定することによりグルーピングされるものである。
【００８８】
一般的には、表示装置２０の近傍にある表示装置（近傍表示装置、近傍ディスプレイ）を設定する。近傍にある表示装置は、上述したような利用者の同一視野に入る表示装置等である。
【００８９】
これらのグルーピングは、管理者が設定するのが一般的であるが、設置位置の距離や、ＩＰアドレス等によって自動的に設定されても良い。なお、本実施形態では、近くの表示装置、近傍の表示装置は広告グループとして設定されている場合について説明している。
【００９０】
広告グループとして設定されている表示装置同士は、同一の広告が表示されるとしても良いが、上述したようにライバル企業の広告が表示されることを防げれば良い。また、広告グループは階層的に指定されても良い。
【００９１】
例えば、施設において、第１の入口と、第２の入口とには複数の表示装置がそれぞれ設けられているとする。この場合、第１の入口に設置されている複数の表示装置で第１の広告グループが、第２の入口で設置されている複数の表示装置で第２の広告グループが設定される。
【００９２】
さらに、第１の広告グループと、第２の広告グループとで、第３の広告グループを設定することとしても良い。この場合、例えば第１、第２の広告グループには同一の広告が表示され、第３の広告グループにはライバル企業が表示されないといった制御を行うことが可能となる。
【００９３】
図４のステップＳ１２８に引き続き、図５から処理を実行する。空き日付が選択するか終了する操作が選択される（ステップＳ１５０）。ここで、終了する操作が選択されると、処理は最初に戻る（ステップＳ１５２；Ｎｏ）。
【００９４】
空き日付が選択されることにより（ステップＳ１５２；Ｙｅｓ）、タイムスケジュールを表示する処理に遷移する（ステップＳ１５４〜ステップＳ１５８）。タイムスケジュールとは、コンテンツ表示スケジュールに基づいて、表示装置２０毎の日別のコンテンツの予約状況を確認するために表示されるものである。本実施形態では、コンテンツ表示スケジュールから生成されることとして説明するが、別に記憶していても良い。
【００９５】
ここで、表示装置２０が近くに設置されていない場合、すなわち選択された場所（ロケーション）の近くに表示装置が複数無い場合（広告グループとして設定されている表示装置がない場合）には、単純に選択されたロケーションにある表示装置２０のタイムスケジュール表示処理を実行する（ステップＳ１５４；Ｎｏ→ステップＳ１５８）。
【００９６】
他方、選択されたロケーションの近くに表示装置が複数ある場合には、複数タイムスケジュール処理を実行する（ステップＳ１５４；Ｙｅｓ→ステップＳ１５６）。
【００９７】
ここで、タイムスケジュール処理により、利用者に表示されるタイムスケジュールの一例を図７及び図８に示す。図７は前後時間の排他確認用のタイムスケジュールの表示画面であり、図８は、近傍ディスプレイを含む排他確認用のタイムスケジュールの表示画面である。
【００９８】
例えば、図７の場合、１４：００−１６：００に空き時間枠（広告枠）があることが表示されている。したがって、利用者は空いている時間枠を購入することが可能となる。空いている時間枠を選択（例えばクリック操作）すると購入／入稿システムのＵＩに遷移する。
【００９９】
また、本実施形態のように、空き時間枠の料金を表示することとしても良い。例えば、図７では￥１００，０００で購入が可能と表示されている。
【０１００】
しかし、後述するが、空いている時間枠の前後にあるコンテンツの属性（カテゴリ）として、レストラン（中華）と、百貨店（セール）が登録されている。したがって、空いている時間枠であっても、同一の属性（カテゴリ）であるレストラン（中華）と、百貨店（セール）の場合には、入稿（予約受付）できないものである。
【０１０１】
また、空いている時間枠を確認する広告主が確認できる情報は、空き時間枠と価格、属性（例えば、商品カテゴリ）のみであり、実際の広告主（買いに来た広告主から見て他社）は確認できないものである。なお、管理サーバ１０の管理者は確認可能である。
【０１０２】
続いて、図８は、近傍ディスプレイを含む排他確認用のタイムスケジュールの表示画面であり、利用者から見えるタイムスケジュールの表示画面の一例である。
【０１０３】
図８の３つのタイムスケジュール（「ＡＢＣ広場  入口柱（左）」、「ＡＢＣ広場  入口柱（中央）」、「ＡＢＣ広場  入口柱（右）」）は別の表示装置のタイムスケジュールであり、それぞれの表示装置は近傍にあるため排他処理が必要となる。
【０１０４】
本実施形態では、「ＡＢＣ広場  入口柱（中央）」の表示装置には、１４：００−１６：００に空き時間枠があり、広告主が購入することが可能である。
【０１０５】
ここで、当該空き時間枠を利用者は￥１００，０００で購入が可能であるが、レストラン（中華）と、百貨店、結婚式場、新作映画案内、アイドルコンサートは入稿できないものである。すなわち、予約受付が制限され、出来なくなっている。
【０１０６】
なお、「ＡＢＣ広場  入口柱（中央）」と、「ＡＢＣ広場  入口柱（右）」とが１１：００−１４：００にレストラン（中華）が並んでいるが、これは同一の広告主であれば排他処理せず時間枠の購入を制限しない、すなわち排他しないためである。これにより、空いている時間枠に、コンテンツの予約受付が可能であり、予約を行う（コンテンツを入稿することができる）ことになっている。
【０１０７】
逆に、空き時間枠の直前に他の表示装置のタイムスケジュールにアイドルコンサートがあれば広告の購入を制限（排他）する。
【０１０８】
図５に戻って処理を説明する。続いて、空き時間枠が選択されるか、終了操作がされる（ステップＳ１６０）。ここで、終了操作が選択されると、図４の処理の最初から再び実行される（ステップＳ１６２；Ｎｏ）。
【０１０９】
ここで、空き時間枠が選択されると（ステップＳ１６２；Ｙｅｓ）、コンテンツの属性として、入稿するコンテンツ（広告コンテンツ）の商品カテゴリが選択される（ステップＳ１６４）。なお、ここで、終了操作が選択されると、図４の処理の最初から再び実行される（ステップＳ１６６；Ｎｏ）。
【０１１０】
ここで、選択されたコンテンツの属性である商品カテゴリが排他対象でないか否かを判定する（ステップＳ１６８）。排他対象となるコンテンツは入稿できず、時間枠にたいする予約受付ができなくなっている。本実施形態では、排他対象となる条件（排他条件）は以下の３つである。
【０１１１】
（１）表示装置２０が単体の場合は、現在選択された時間枠の前後の時間枠の商品カテゴリが同一又は重複している場合を排他対象とする。すなわち、予約受付をするコンテンツとして制限され、選択された時間枠には予約受付が拒否され、予約受付できなくなっている。
【０１１２】
（２）表示装置２０が複数ある場合、すなわち選択された時間枠の表示装置に近傍する位置に表示装置がある場合には、当該近傍する位置の表示装置の、重複する時間枠の商品カテゴリが同一又は重複している場合を排他対象とする。すなわち、予約受付をするコンテンツとして制限され、選択された時間枠には予約受付が拒否され、予約受付できなくなっている。
【０１１３】
（３）表示装置２０が複数ある場合、すなわち選択された時間枠の表示装置に近傍する位置に表示装置がある場合には、当該近傍する位置の表示装置の、重複する時間枠及び前後の時間枠の商品カテゴリが同一又は重複している場合を排他対象とする。すなわち、予約受付をするコンテンツとして制限され、選択された時間枠には予約受付が拒否され、予約受付できなくなっている。
【０１１４】
これらの排他条件に該当した場合は、排他対象であるため、再度商品カテゴリを選択させる（ステップＳ１６８；Ｎｏ→ステップＳ１６６）。すなわち、選択されたコンテンツ（ＣＭ）では、制限されたコンテンツとなり、予約受付が拒否されてしまう。
【０１１５】
この場合における、利用者に表示される表示画面の一例を図９（ａ）に示す。図９（ａ）に示すように、「入稿したい商品カテゴリを選択してください」と表示し、商品カテゴリが選択出来るようになっている。
【０１１６】
このように、コンテンツの属性として、広告コンテンツの商品カテゴリについて、広告主（コンテンツデータを入稿しようとしている利用者）が選択することができる。なお、ここで商品カテゴリは階層となっている。
【０１１７】
例えば、「旅行」は上位層であり、下位層は「海外旅行」と「国内旅行」とが含まれている。この場合、例えば「旅行」という商品カテゴリが選択された場合、「海外旅行」「国内旅行」とも商品カテゴリが重複すると判定する。また、「海外旅行」「国内旅行」が選択された場合に、「旅行」の商品カテゴリが重複すると判定する。
【０１１８】
更に、「海外旅行」も「国内旅行」も上位層は「旅行」である。したがって、「海外旅行」「国内旅行」ともに、商品カテゴリが重複すると判定しても良い。
【０１１９】
また、重なっていない属性の場合等は、予約可能なコンテンツとして予約することが可能となっている。すなわち、相違点のある属性、同一ではない属性、上位・下位の関係にない属性の場合を、重なっていないコンテンツであるとして予約可能（排他対象でない）として受け付ける。
【０１２０】
図５に戻って説明する。選択された商品カテゴリが排他対象でない場合（ステップＳ１６８；Ｙｅｓ）、入稿する（アップロードする）コンテンツ（広告コンテンツ）を選択する（ステップＳ１７０）。なお、ここで、終了操作が選択されると、図４の処理の最初から再び実行される（ステップＳ１７２；Ｎｏ）。
【０１２１】
この場合における、コンテンツデータ選択画面の一例を図９（ｂ）に示す。コンテンツデータを選択し、実行することで、管理サーバ１０に送られ、記憶される。
【０１２２】
コンテンツデータの入稿後、購入実行が最終的に選択されるかを判定する（ステップＳ１７４→ステップＳ１７６）。ここで、購入実行が選択されることにより、広告枠の購入処理が実行される（ステップＳ１７６；Ｙｅｓ→ステップＳ１７８）。
【０１２３】
図９（ｃ）が、利用者である広告主に対して表示されるコンテンツデータの購入画面の一例を示した図である。サイネージの内容、価格、ファイル名（コンテンツデータ名）、属性、時間枠についてが、それぞれ表示されている。
【０１２４】
この場面で「購入」と選択することで、選択された時間枠において、選択されたコンテンツが配信された表示されることとなる。
【０１２５】
［１．３．２  コンテンツ配信処理］
つづいて、コンテンツ配信処理について図１０を参照して説明する。コンテンツ配信処理は、管理サーバ１０から、デジタルサイネージである表示装置２０にコンテンツデータを配信する場合に実行される処理である。表示装置は１つであっても良いし、複数であっても良い。また、複数の表示装置に同一のコンテンツデータを配信しても良いし、異なるコンテンツデータを配信しても良い。
【０１２６】
まず、配信されていないコンテンツデータがあるか否かが判定される（ステップＳ２０２）。もし、総てのコンテンツが既に表示装置２０に配信されているのであれば本処理を終了する（ステップＳ２０２；Ｙｅｓ）。
【０１２７】
まだ配信されていないコンテンツデータがある場合には、配信されていないコンテンツデータ（未配信コンテンツ）の中に、本日分があるか否かを判定する（ステップＳ２０４）。もし、未配信コンテンツデータがある場合には（ステップＳ２０４；Ｙｅｓ）、表示装置２０に配信される（ステップＳ２０６）。すなわち、表示装置２０において実行されているサイネージソフト（コンテンツ表示プログラム２５２）に配信することで、表示装置２０はコンテンツ（例えば広告コンテンツ）を表示することが可能となる。
【０１２８】
ここで、サイネージソフトへは、コンテンツデータと、コンテンツデータを表示するスケジュールであるコンテンツ表示スケジュールが配信されても良い。すなわち、表示装置２０において、コンテンツ表示スケジュールの内容に沿ってコンテンツの表示が行われる。
【０１２９】
つづいて、定期配信時刻である場合には（ステップＳ２０８；Ｙｅｓ）、サイネージソフトへコンテンツデータが配信される（ステップＳ２１０）。なお、このときコンテンツ表示スケジュールも併せて送信されても良い。
【０１３０】
これは、定期配信時刻でコンテンツデータが配信されるのは、例えばネットワークの空きが多い夜中等に配信する設定とするためである。また、ステップＳ２０４、Ｓ２０６では、次の配信タイミングまで待てないコンテンツデータについては、このタイミングで配信されることとなる。
【０１３１】
［１．３．３  コンテンツ表示処理］
つづいて、コンテンツ表示処理について、図１１を参照して説明する。コンテンツ表示処理は、管理サーバ１０からコンテンツデータ、コンテンツ表示スケジュールを受信して実行される処理である。
【０１３２】
すなわち、管理サーバ１０のサイネージ管理ソフト（サイネージ管理プログラム１５２）から配信があると、サイネージ管理ソフトから配信を受信する（ステップＳ３０２；Ｙｅｓ→ステップＳ３０４）。これにより、表示装置２０には、コンテンツデータがコンテンツデータ格納領域２４２に記憶され、コンテンツ表示スケジュール２４６が記憶される。
【０１３３】
続いて、サイネージ管理ソフトから、空き時間枠コンテンツデータの配信があった場合には、空き時間枠コンテンツデータを保存する（ステップＳ３０６；Ｙｅｓ→ステップＳ３０８）。
【０１３４】
続いて、タイムスケジュールに未確定の時間枠である空き時間枠があるか否かを確認する（ステップＳ３１０）。すなわち、管理サーバ１０から受信したコンテンツ表示スケジュールに、表示するコンテンツが決まっていない未確定の時間枠を、空き時間枠として確認する。なお、既に表示するコンテンツが決まっている時間枠は、確定している時間枠として、そのままコンテンツ表示スケジュールにしたがってコンテンツを表示すれば良い。
【０１３５】
ここで、コンテンツ表示スケジュールに空き時間枠がある場合には、後述する空き時間枠コンテンツ割り当て処理が実行される（ステップＳ３１２）。また、空き時間枠コンテンツが割り当てられた場合には、使用回数が更新される（ステップＳ３１４）。
【０１３６】
その後、コンテンツ表示スケジュールにコンテンツの割り当てがあるか否かを判定する（ステップＳ３１６）。ここで、コンテンツの割り当てがある場合には、コンテンツデータの表示・再生を開始する（ステップＳ３１８）。
【０１３７】
ここで、コンテンツ表示スケジュール上、コンテンツの終了時刻か否かを判定する。ここで、コンテンツの終了時刻である場合には、コンテンツの表示を終了する（ステップＳ３２０；Ｙｅｓ）。例えば、コンテンツ表示スケジュールに電源ＯＦＦの時刻が記述してあったり、表示装置２０において終了時刻が設定されていたりする場合には、コンテンツの表示を終了する。他方、コンテンツの終了時刻でない場合には、処理を繰り返し実行し、次のコンテンツを表示することとなる（ステップＳ３２０；Ｎｏ→ステップＳ３０２）。
【０１３８】
［１．３．４  空き時間枠コンテンツ割り当て処理］
つづいて、本実施形態における空き時間枠コンテンツ割り当て処理について、図１２を参照して説明する。
【０１３９】
例えば、サイネージ管理ソフトから、配信されたコンテンツ表示スケジュールに、空き時間枠があったとする。空き時間枠は、図１２に示すように、「１１：３２−１１：５５」の２３分間である。
【０１４０】
そして、表示装置２０には、図２（ｂ）に示した空き時間枠コンテンツデータが予め配信されている。
【０１４１】
（１）再生回数の少ない動画を空き枠の時間をオーバーしない範囲で割り当てする。例えば、「公共ＣＭ動画２」、「公共ＣＭ動画４」、「公共ＣＭ動画５」が割り当てられ、合計２２分となる。
【０１４２】
（２）残りの時間に静止画を割り当てる。ここで、空き時間枠のうち、（１）で割り当てた時間の残時間が３０秒以内であれば、再生回数の少ない静止画にその秒数をそのまま割り当てる。
【０１４３】
もし、残時間が３０秒以上の場合、静止画を３０秒で１単位と、できるだけの多くの静止画のコンテンツデータを割り当てていく。また、更に残時間は、既に割り当てた静止画コンテンツデータの中で、割り振る。
【０１４４】
例えば、残時間が１００秒の場合、まず静止画コンテンツデータを３枚採用し、それぞれに３０秒の表示時間をあたえる。この場合、９０秒となり、更に１０秒あまる。そこで、１０秒を、既に割り当てた３つの静止画コンテンツに割り振り、３４秒、３３秒、３３秒とする。
【０１４５】
図１２では、空き広告枠２３分のうち動画で２２分埋められるので、残りの６０秒を、再生回数の少ない「公共ＣＭ静止画２」、「公共ＣＭ静止画３」をそれぞれ３０秒として割り当てる。
【０１４６】
［２．第２実施形態］
つづいて、第２実施形態について説明する。第２実施形態は、第１実施形態と構成は同じであるが、空き時間枠コンテンツ割り当て処理を異なる方法で行うものである。
【０１４７】
第２実施形態における空き時間枠コンテンツの一例を図１３に示す。図１３に示すように、空き時間枠コンテンツデータに対応づけて、優先度が更に記憶されている。優先度は、「Ａ」「Ｂ」「Ｃ」が記憶されており、「Ａ」から優先的に割り当てられることになる。例えば、「広告募集中」など、特定の動画・静止画は優先順位高く採用するような設定をすることができる。
【０１４８】
このように、空き時間枠コンテンツに優先度を更に割り当てることにより、優先度の高い空き時間枠コンテンツデータを優先的に表示することが出来るようになる。
【０１４９】
また、優先度と再生回数とを組み合わせて割り当てても良い。例えば、優先度が「Ａ」の場合であっても、空き時間枠の中では１回しか割り当てられないようにしたり、連続して同じ空き時間枠コンテンツデータが割り当てられないようにしたりしても良い。
【０１５０】
また、優先度が「Ａ」であっても、再生回数が閾値を超えた場合は優先度を「Ｂ」に変更するといったように、優先度を途中で変えるといった処理を行ってもよい。
【０１５１】
［３．第３実施形態］
つづいて、第３実施形態について説明する。第３実施形態は、第１実施形態と構成は同じであるが、空き時間枠コンテンツを、広告コンテンツの枠として、広告主に販売する実施形態である。
【０１５２】
例えば、図５のステップＳ１６０において、コンテンツを予約する空き時間枠を指定しているが、ここで時間を指定しない方法としても良い。すなわち、タイムスケジュールが表示されているときに「時間枠を指定しない」という選択を行えるようにする。
【０１５３】
この場合、ステップＳ１７０で選択されたコンテンツデータは、コンテンツデータ格納領域１４２ではなく、空き時間枠コンテンツデータ格納領域１４４に記憶される。すなわち、この場合におけるＣＭ等のコンテンツデータは、決められた時間枠ではなく、配信の段階で空き時間枠がある場合に表示されることとなる。
【０１５４】
［４．第４実施形態］
つづいて、第４実施形態について説明する。第４実施形態は、第１実施形態と構成は同じであるが、空き時間枠コンテンツデータ以外を利用して空き時間枠を埋める方法である。
【０１５５】
第４実施形態におけるコンテンツ表示処理について、図１４に示す。図１４に示すコンテンツ表示処理は、第１実施形態における図１１のコンテンツ表示処理を置き換えたものであり、同一の処理には同一の符号を付してその説明を省略する。
【０１５６】
第４実施形態では、利用者がコンテンツを予約するときに、「コンテンツの時間枠の延長」を選択することができる。例えば、図１５に示すように、購入画面において「時間枠延長をします。」と選択することが可能である。この場合、現在予約したコンテンツの時間枠の後が空いている場合には、自動的にコンテンツの表示・再時間を延長するものである。この場合、図１５のように追加料金（例えば、追加  ３，０００円）を徴収しても良い。
【０１５７】
利用者が時間枠を延長することを選択した場合、コンテンツデータには延長可を示すコンテンツ延長フラグが記憶される。
【０１５８】
図１４を参照して説明すると、コンテンツ表示スケジュールに空き時間枠がある場合（ステップＳ３１０；Ｙｅｓ）、その直前のコンテンツデータにコンテンツ延長フラグがあるか否かを判定する（ステップＳ３３０）。ここで、コンテンツ延長フラグがある場合には、当該コンテンツが予約されているコンテンツ時間枠の終了時間を、空き時間枠がなくなるように延長する（ステップＳ３３２）。
【０１５９】
なお、この場合、連続するコンテンツの属性が重複してしまう場合は延長しないといった処理を行っても良い。また、延長する時間については、例えば５分までと決めても良いし、価格によって時間を変えても良い。
【０１６０】
なお、本実施形態は、上述した実施形態と組み合わせて実行可能なことは勿論である。例えば、空き時間枠において、所定時間（例えば、５分）は前のコンテンツデータの時間枠を延長するが、残時間については、空き時間枠コンテンツデータを表示しても良い。また、延長フラグが無い場合は、第１実施形態〜第３実施形態の方法に切り替えても良い。
【０１６１】
また、本実施形態では、時間枠の後に延長する場合について説明したが、前の時間に延長しても良い。
【０１６２】
［５．効果］
上述した実施形態によれば、一連の利用者（広告主）の操作によって、従来ロケーションオーナーである管理者が担っていた、コンテンツの受領と、受領内容によるカレンダースケジュール、タイムスケジュールの作成が自動的に生成される。それにより、管理者の負担が低減し、ヒューマンエラーが回避できる。
【０１６３】
また、管理サーバ１０の管理者が都度作業することなく、自動的に「空き時間枠（売れ残り広告枠）」の時間に沿った、公共広告等が割り当てられる。これにより、管理者のヒューマンエラーや、ネットワークトラブルにおいても、ロケーションで無信号状態になる放送事故を防げる。
【０１６４】
また、空き時間枠にはめ込まれるコンテンツデータ（公共広告等）をあらかじめ配信しておくことで配信によるネットワークの輻輳を避けることができ、その結果として、管理者であるロケーションオーナーは時間枠をぎりぎりのタイミングまで販売が可能となる。
【０１６５】
［６．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０１６６】
また、上述した実施形態は、それぞれの実施形態を組み合わせて実行することが出来ることは勿論である。例えば、第１実施形態と、第２実施形態と、第５実施形態とを組み合わせて実行するといったことが可能である。
【０１６７】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、ＨＤＤやＳＳＤ（solid state drive）などの記憶装置に格納され、必要に応じてＣＰＵによって読み出し、修正・書き込みが行なわれる。
【０１６８】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【０１６９】
１０  管理サーバ
１１０  制御部
１２０  通信部
１４０  記憶部
１４２  コンテンツデータ格納領域
１４４  空き時間枠コンテンツデータ格納領域
１４６  コンテンツ表示スケジュール
１５２  サイネージ管理プログラム
１５４  コンテンツ配信プログラム
２０  表示装置
２１０  制御部
２２０  通信部
２３０  表示部
２４０  記憶部
２４２  コンテンツデータ格納領域
２４４  空き時間枠コンテンツデータ格納領域
２４６  コンテンツ表示スケジュール
２５２  コンテンツ表示プログラム
３０  端末装置
【図１】
2018073197.tif 000003
【図２】
2018073197.tif 000004
【図３】
2018073197.tif 000005
【図４】
2018073197.tif 000006
【図５】
2018073197.tif 000007
【図６】
2018073197.tif 000008
【図７】
2018073197.tif 000009
【図８】
2018073197.tif 000010
【図９】
2018073197.tif 000011
【図１０】
2018073197.tif 000012
【図１１】
2018073197.tif 000013
【図１２】
2018073197.tif 000014
【図１３】
2018073197.tif 000015
【図１４】
2018073197.tif 000016
【図１５】
2018073197.tif 000017